【事件の表示】
　特許第３００７４７３号「ディスクプレーヤの演奏方法」の請求項１に係る特許に対する特許異議の申立てについて、次のとおり決定する。
【結　論】
　特許第３００７４７３号の請求項１に係る特許を取り消す。
【理　由】
１．手続の経緯
　特許第３００７４７３号の請求項１に係る発明は、平成４年５月２９日に特許出願され、平成１１年１１月２６日にその特許権の設定がなされ、その後、福岡栄夫より特許異議の申し立てがなされ、取り消しの理由が通知され、その指定期間内である平成１３年６月４日に訂正請求がなされたものである。そして、当審において平成１３年６月１３日付で訂正拒絶理由を通知したものの、請求人からは指定期間内に応答がなかった。
　
２．訂正の適否
　上記訂正請求は、特許請求の範囲の減縮を目的として、請求項１の記載を「（前略）しかる後、新たなディスクを通常線速度のｎ倍で回転制御するとともに、該ディスクに記録されているデータをｎ倍速で間欠的に読み取って、メモリに書き込むようにしたこと、を特徴とするディスクプレーヤの演奏方法。」を「（前略）しかる後、新たなディスクのＴＯＣ情報の読み取りが完了するまでメモリへのデータの書き込みを行なわず、ＴＯＣ情報の読み取りが完了した後、新たなディスクを通常線速度のｎ倍で回転制御するとともに、該ディスクに記録されているデータをｎ倍速で間欠的に読み取って、メモリに書き込むようにしたこと、を特徴とするディスクプレーヤの演奏方法。」と訂正することを求めるものである。
　しかしながら、原特許請求の範囲における「新たなディスクを通常線速度のｎ倍で回転制御するとともに、該ディスクに記録されているデータをｎ倍速で間欠的に読み取って、メモリに書き込む」の記載からは、「データ」の読み取りの態様が読みとれるだけであって、この記載は「ＴＯＣ情報の読み取り」の態様を含んでいない。
　したがって、この訂正は、原特許請求の範囲に新たに「ＴＯＣ情報の読み取り」の態様を付加するものであるから、原特許請求の範囲を変更するものである。
　よって、上記訂正は、訂正拒絶理由のとおり、特許法第１２０条の４第３項で準用する第１２６条第３項の規定に適合しないから、上記訂正は認められない。
　
３．特許異議申立についての判断
（１）本件の請求項１に係る発明
　上記２．で示したように、上記訂正は認められないから、本願の請求項１に係る発明は登録時の特許請求の範囲の請求項１に記載された以下のとおりのものである。（以下、「本件発明」という）
「複数枚のディスクをマガジンに収納しておき、ディスク演奏中に交換要求が発せられたとき、今回演奏したディスクをマガジンに戻すとともに新たなディスクをマガジンから取り出してディスクの交換を行い、当該新たなディスクの演奏を開始するようにしたディスクプレーヤの演奏方法において、
　或るディスクを演奏する際、ディスクを通常線速度のｎ倍で回転制御するとともに、該ディスクに記録されているデータをｎ倍速で間欠的に読み取って、所定のデータ保持時間を有するメモリに書き込み、
　該書き込みと平行してメモリから通常の読み出し速度でデータを読み出しＤ／Ａ変換してディスクの演奏を行い、
　ディスク演奏中にキー操作でディスク交換要求が発せられたか監視し、
　ディスクの交換要求が発せられたならば、メモリからのデータの読み出しは継続しながらディスクの交換を行い、
　しかる後、新たなディスクを通常線速度のｎ倍で回転制御するとともに、該ディスクに記録されているデータをｎ倍速で間欠的に読み取って、メモリに書き込むようにしたこと、
　を特徴とするディスクプレーヤの演奏方法。」
　
（２）引用例
　当審で通知した取り消しの理由で引用した、特開平３−２７３５８６号公報（平成３年１２月４日出願公開、以下「引用例１」という）には、以下の記載がある。
「本発明は、ＣＤ（コンパクトディスク）プレーヤ、ＤＡＴ（デジタルオーディオテープレコーダ）等の情報再生装置に係り、特に１つの記録媒体あるいは複数の記録媒体から記録情報を連続的に再生する場合に好適な情報再生装置に関する。」（第２頁左上欄第５〜９行）
「デコーダ１７からのオーディオデータ出力は、データ制御部２０に送られる。データ制御部２０は、インタフェース２１とＲＡＭコントローラ２２とデータを一時記憶するＲＡＭ２３とインタフェース２４とデジタル／アナログ（Ｄ／Ａ）コンバータ２５等により構成されていて、その詳細構成を第４図に示す。」（第３頁右上欄第１７行〜左下欄第４行）
「交換時間ｔcは、先のＣＤが再生停止されてマガジン内に収納され、次のＣＤが選択されて再生位置にローディングされ、再生開始されるまでの時間である。」（第５頁左下欄第１８行〜右下欄第１行）
「本実施例もオートチェンジャの場合であるが、（中略）曲の再生途中でＣＤが強制的に交換される場合である。」（第６頁左下欄第９〜１１行）
「第１１図（Ｃ）、（Ｄ）に示すように、当初は通常速度のＳ2倍の高速で読出し、メモリが満杯Ｆに近付いたなら（タイミングＴ6）次第に減速し、メモリが満杯Ｆ（タイミングＴ7）になったら通常速度で読出す。メモリからの読出しは通常の第２速度で読出して再生し、タイミングＴ8において次の記録媒体ＮＭが通常再生されれば、見掛上、空白時間をなくすことができる。」（第７頁左上欄第１〜８行）
「第１２図において、先ず、予めメモリに格納されているデータから立上げ時間τと交換時間ｔcが読取られ（ステップＳ８１）、（中略）。次いで、立上げ時間τ内に、交換時間ｔcに要する記録情報をメモリに蓄積しうる速度倍率を求める（ステップＳ８７）。この倍率としては、例えば、第１１図（Ｃ）、（Ｄ）に示すように、メモリの満杯Ｆ近くまでは通常速度のＳ2倍にして急速に読出し、満杯Ｆに近付いたなら減速し、満杯になったなら通常速度にすればよい。（中略）。前記通常速度のＳ2倍で曲を読出し（ステップＳ９０）、読出したデータを前記Ｓ2倍の速度でメモリに書き込む（ステップＳ９１）。その内容を通常の再生速度でメモリから読出す（ステップＳ９２）。以上の状態をメモリに交換時間ｔc分のデータが蓄積されるまで継続し（ステップＳ９３）、所定分蓄積されたなら通常の読出し速度に戻す（ステップＳ９４）。読出しが終了せず（ステップＳ９５：Ｎｏ）、ＣＤが交換されず（ステップＳ９６：Ｎｏ）、メモリが空にならなければステップＳ９２以降の動作が繰り返される（ステップＳ９７：Ｎｏ）。メモリが空なら（ステップＳ９７：Ｙｅｓ）、空白時間設定用のタイマＴ0をセットし（ステップＳ９８）、設定時間になったなら（ステップＳ９９：Ｙｅｓ）、ステップＳ８１に戻る。ステップＳ９５において、読出しが終了したなら（ステップＳ９５：Ｙｅｓ）、次の再生曲の有無を判断して再生曲があれば（ステップＳ１００：Ｙｅｓ）、次の曲をサーチし待機状態にはいる（ステップＳ１０１）。また、ステップＳ９６において、ＣＤを交換するなら（ステップＳ９６：Ｙｅｓ）、次のＣＤの曲の先頭で待機状態に入る（ステップＳ１０２）。次いで、メモリに“０”を書込み（ステップＳ１０３）、メモリを通常速度で読出す（ステップＳ１０４）。」（第７頁左上欄第１３行〜左下欄第１８行）
　これらの記載及び図面を参照すると、引用例１には以下の発明が記載されていると認められる。
「複数枚のディスクをマガジンに収納しておき、ディスク演奏中に強制的にディスクが交換されたとき、今回演奏したディスクをマガジンに戻すとともに新たなディスクをマガジンから取り出してディスクの交換を行い、当該新たなディスクの演奏を開始するようにしたディスクプレーヤの演奏方法において、
  ディスクを演奏する際、該ディスクに記録されているデータを、メモリが満杯に近付くまでは通常速度のＳ2倍の高速で読出し、メモリが満杯になったら通常速度で読出して、メモリに書き込み、
　該書き込みと平行してメモリから通常の読出し速度でデータを読出しＤ／Ａ変換してディスクの演奏を行い、
　ディスク演奏中に強制的に交換されたかステップＳ９６で判定し、
　ディスクチェンジがされたならば、メモリからのデータの読み出しは継続しながらディスクの交換を行い、
　しかる後、新たなディスクに記録されているデータを、メモリが満杯に近付くまで通常速度のＳ2倍の高速で読出し、メモリが満杯になったら通常速度で読出して、メモリに書き込むようにしたこと、
により、曲の再生途中でディスクが強制的に交換される場合でも、記録情報を連続的に再生することを特徴とするディスクプレーヤの演奏方法。」
　
（３）対比
　本件発明と引用例１記載の発明とを対比する。
・引用例１記載の発明の「メモリ」は、所定の容量を有しており、これが本件発明の「所定のデータ保持時間を有する」に相当する。
・引用例１記載の発明の、ディスク演奏中の強制的なディスク交換は、操作部のキー操作によって行われていると認められるから、引用例１記載の発明の「ディスク演奏中に強制的に交換されたかステップＳ９６で判定し」は、本件発明の「ディスク演奏中にキー操作でディスク交換要求が発せられたか監視し」に相当する。
　したがって、本件発明と引用例１記載の発明とは、
「複数枚のディスクをマガジンに収納しておき、ディスク演奏中に交換要求が発せられたとき、今回演奏したディスクをマガジンに戻すとともに新たなディスクをマガジンから取り出してディスクの交換を行い、当該新たなディスクの演奏を開始するようにしたディスクプレーヤの演奏方法において、
　或るディスクを演奏する際、該ディスクに記録されているデータをｎ倍速で読み取って、所定のデータ保持時間を有するメモリに書き込み、
　該書き込みと平行してメモリから通常の読み出し速度でデータを読み出しＤ／Ａ変換してディスクの演奏を行い、
　ディスク演奏中にキー操作でディスク交換要求が発せられたか監視し、
　ディスクの交換要求が発せられたならば、メモリからのデータの読み出しは継続しながらディスクの交換を行い、
　しかる後、新たなディスクに記録されているデータをｎ倍速で読み取って、メモリに書き込むようにしたこと、
　を特徴とするディスクプレーヤの演奏方法。」
である点で一致し、以下の点で相違する。
・相違点
　本件発明は、「ディスクを通常線速度のｎ倍で回転制御する」とともに、該ディスクに記録されているデータをｎ倍速で「間欠的」に読み取っているのに対して、引用例１記載の発明は、ディスクに記録されているデータを「メモリが満杯に近付くまで」はｎ倍速で読み取り、「メモリが満杯になると通常速度」で読み取る点。
　
（４）判断
　上記相違点について検討する。
　当審で通知した取り消しの理由で引用した、特開平３−４０２６９号公報（平成３年２月２１日出願公開、以下「引用例２」という）には、以下の記載がある。
「ディスクに記録されているデータを倍速度で間欠的に再生してＲＡＭに書き込み、該書き込みと並行してＲＡＭからノーマル速度でデータを読み出してＤＡ変換することによりディスクの演奏を行い」（第１頁左下欄第４〜８行）
「本発明は、ディスクプレーヤの演奏方法に係り、特にトラックジャンプが発生しても音が途切れることがないディスクの演奏方法に関する。」（第１頁左下欄第１６〜１８行）
「サーボ回路６は、周知のトラッキングサーボ、フォーカスサーボ、線速度を一定にするＣＬＶ制御、ピックアップ送り制御等を行うが、ＣＬＶ制御により通常の２倍の速度でスピンドルモータを回転する。」（第２頁右下欄第１９行〜第３頁左上欄第３行）
　したがって、引用例２には以下の発明が記載されている。
「ディスクを通常線速度の倍速で回転制御すると共に、ディスクに記録されているデータを倍速度で間欠的に再生してＲＡＭに書き込み、該書き込みと並行してＲＡＭからノーマル速度でデータを読み出してＤＡ変換することによりディスクの演奏を行うことにより、音が途切れることがないディスクの演奏方法。」
　そして、引用例１記載の発明と引用例２記載の発明は、共にメモリを用いて音切れを防止する発明であり、引用例１のディスクに記録されたデータをメモリに書き込む構成を、引用例２記載の発明のごとく、ディスクを通常線速度の倍速で回転制御すると共に、ディスクに記録されているデータを倍速度で間欠的に再生してＲＡＭに書き込むように変更することは、当業者が容易に想起し得たものと認められる。
　
（５）むずび
　以上のとおりであるから、本件発明は、上記引用例１，２記載の発明に基づいて、当業者が容易に発明をすることができたものであるから、本件発明の特許は特許法第２９条第２項の規定に違反してされたものである。
　したがって、本件発明についての特許は、特許法第１１３条第２号に該当し、取り消されるべきものである。
　よって結論のとおり決定する。
【異議決定日】
平成１３年９月１４日（２００１．９．１４）